(57)【要約】【課題】例えば販売促進のために各種にデザインした作業衣等との照応も容易であり、また頭部に被ったときでも頭髪と調和し、帽子内部における髪押さえとしても使用できるばかりでなく、汚損されたとしてもそれが目立たず、衛生的な印象を与えるようにする。【解決手段】頭部を覆う袋状の不織布製の衛生キャップ本体１を備え、この衛生キャップ本体１は黒色ないしは黒灰色を呈するように形成する。黒色ないしは黒灰色は、マンセル表色系において彩度、明度が共に６より低くなっているものとしてある。また、衛生キャップ本体１には、その開口縁に伸縮部材２、耳部にネット部３、額部に鍔体４の少なくとも一つを設ける。【選択図】図２
0003162955.tif 000002
【実用新案登録請求の範囲】
【請求項１】
頭部を覆う袋状の不織布製の衛生キャップ本体を備えて成り、この衛生キャップ本体は黒色ないしは黒灰色を呈するように形成してあることを特徴とする衛生キャップ。
【請求項２】
黒色ないしは黒灰色は、マンセル表色系において彩度、明度が共に６より低くなっている請求項１に記載の衛生キャップ。
【請求項３】
衛生キャップ本体には、その開口縁に伸縮部材、耳部にネット部、額部に鍔体の少なくとも一つを設けて成る請求項１または２記載の衛生キャップ。
【請求項４】
頭部を覆う袋状の不織布製の衛生キャップ本体を備えて成り、この衛生キャップ本体は黒色ないしは黒灰色を呈するように形成してあって、その黒色ないしは黒灰色は、マンセル表色系において彩度、明度が共に６より低くなっており、また、衛生キャップ本体には、その開口縁に伸縮部材、耳部にネット部、額部に鍔体の少なくとも一つを設けて成ることを特徴とする衛生キャップ。
【考案の詳細な説明】
【技術分野】
【０００１】
この考案は主としてデパート地下街、スーパーマーケット等の例えば惣菜売場等で食品等を一般消費者に販売するに際し、販売従事者特にその頭部から生じ得る髪毛、各種の塵埃その他の脱落を阻止して衛生管理を向上できるようにした衛生キャップに係り、特に、一般消費者に直接的に目に触れる販売従事者のファション性をも高め、また汚れが目立たないようにした衛生キャップに関する。
【背景技術】
【０００２】
従来から、食品加工場、食品販売場所、クリーンルーム等の塵埃その他の混入が阻止され、作業雰囲気が衛生的環境の下に保持される区域、場所その他では、その衛生状態を維持するために例えば食品貯蔵庫を備え、またそれらの各種作業に従事する者には防塵用の衣服類を着用させると共に、従事者の頭部には髪毛・塵埃等の脱落防止のための衛生キャップを被装させるとしている。これらの衣服類、衛生キャップ等の多くは、使い捨て可能なディスポーザブルタイプとなるよう例えばポリプロピレン樹脂製不織布を素材とし、そして汚損された場合にはそれが明瞭となる白色の、あるいは淡いピンク色、青色等に着色されたものとされている。
【０００３】
このような衛生キャップとして、例えば特許文献１に示す帽子、特許文献２に示すヘアキャップ、特許文献３に示す帽子、特許文献４に示す使い捨て紙製帽子、特許文献５に示す簡易帽子、特許文献６に示すコック帽子、特許文献７に示す帽子等が提案されている。これらの帽子類はその機能的な面から、顔面をも覆うようにしたり、バンド装着構造ものとしたり、頭部から肩部までをも覆うようにしたり、縦長構造となるようにしたり等として構成されている。
【先行技術文献】
【特許文献】
【０００４】
【特許文献１】実開平６−６９２２９号公報
【特許文献２】特開平１０−２４８６２９号公報
【特許文献３】特開２００１−１９２９２１号公報
【特許文献４】特開２００１−２３４４１８号公報
【特許文献５】特開２００３−２４７１１５号公報
【特許文献６】特開２００４−１９０１７号公報
【特許文献７】特開２００８−２４８４３０号公報
【考案の概要】
【考案が解決しようとする課題】
【０００５】
ところがこのような従来の帽子類では、例えば頭髪の脱落防止、頭部装着時のフィット感の向上その他の機能的、実用的な面から考慮された構造上の特徴があっても、これを装着使用した場合の周囲の作業環境との調和、ファッション性等が十分に考慮されたものとはいえない。すなわち食品加工場その他においての衛生管理的観点からは、これらの使用が必要とされるから、それに対応可能であれば良いとしても、例えば食品売り場、惣菜売り場等の一般消費者と直接的に関わる接客業務が多い販売作業者にとって、取り扱う品目が衛生的に加工・処理されていることを示すためにも、これを満たす帽子類が必要で、使用されるものとなっている。しかしながら、従来から提案されている上記の特許文献等に示された帽子等は、機能的には十分であっても、例えば販売促進のためにファション性が考慮され、デザインされた作業衣等にマッチしたものとはいえない。そればかりでなく、衛生管理面を考慮してその汚損の有無が判定容易な白色系、淡色系のものとされていたにすぎないものであった。
【０００６】
そこでこの考案は叙上のような従来存した諸事情に鑑み案出されたもので、その目的は例えば販売促進、その向上等のために各種にデザインされた作業衣等との照応も容易であり、また頭部を覆ったときでも頭髪と調和し、帽子内部における髪押さえのインナー用としても使用できるばかりでなく、汚損されたとしてもそれが目立たず、衛生的な印象を与えるようした衛生キャップを提供することにある。
【課題を解決するための手段】
【０００７】
上述した課題を解決するため、この考案にあっては、頭部を覆う袋状の不織布製の衛生キャップ本体１を備えて成り、この衛生キャップ本体１は黒色ないしは黒灰色を呈するように形成してあることを特徴とする。
黒色ないしは黒灰色は、マンセル表色系において彩度、明度が共に６より低くなっているものとして構成することができる。
衛生キャップ本体１には、その開口縁に伸縮部材２、耳部にネット部３、額部に鍔体４の少なくとも一つを設けることができる。
【０００８】
以上のように構成されたこの考案に係る衛生キャップにあって、黒色ないしは黒灰色の衛生キャップ本体１は作業者が頭部に被るとき、頭髪等の落下その他を防止し、また例えば黒色系の作業衣と対応させてファッション性を富ませ、汚損されてもそれを目立たたせず、特に接客現場では衛生的印象を与える。
衛生キャップ本体１に設けられる伸縮部材２、ネット部３、鍔体４は、衛生キャップ本体１の開口部の弾性的収縮、耳部での通気性、額部におけるひさし作用等を発揮し、衛生キャップの機能価値を高める。
【考案の効果】
【０００９】
この考案は以上説明したように構成されているため、例えば惣菜売り場、飲食店等の一般消費者と接する接客現場において、その接客現場で使用される販売促進のために各種にデザインされた、特に黒色系でデザインされた作業衣等と照応し、統一されたファッション性あるものとして体裁を良好にする。また頭髪を覆ったときでも、その黒色等の故に頭髪等と調和し、例えば帽子内部における髪押さえとしてインナー的にも使用できるばかりでなく、汚損されたとしてもそれが目立たず、衛生的な印象を与える。
【００１０】
すなわちこれはこの考案において、頭部を覆う袋状の不織布製の黒色ないしは黒灰色を呈するように形成した衛生キャップ本体１から成るからであり、これにより、頭髪等の落下防止等はもとより、作業衣とのデザイン上の整合性、ファッション性の向上、衛生的印象を与える等の効果が得られる。
【００１１】
また、マンセル表色系においての彩度・明度が共に低い数値であることで、その色相の有無にかかわらずに、黒色ないしは黒灰色系を帯びたものとして良く、作業者が着用するデザインされた各種の作業衣との整合性を図ることができる。特に、黒色ないしは黒灰色系であることで、作業中に汚損されたとしてもその汚損を目立たたせることなく、衛生的印象を長期にわたって維持でき、接客作業現場における良好なファッション性がひいては購買意欲をも向上させることができる。
【００１２】
衛生キャップ本体１には、その開口縁に伸縮部材２、耳部にネット部３、額部に鍔体４の少なくとも一つを設けてあるから、それぞれの伸縮機能、通気機能、体裁機能等を発揮させ、衛生キャップの使用範囲を一層拡大させる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す使用状態における斜視図である。
【図２】同じく他の実施形態での使用状態における斜視図である。
【図３】同じく更に他の実施形態での使用状態における斜視図である。
【考案を実施するための形態】
【００１５】
以下、図面を参照してこの考案を実施するための一形態を説明すると、図において示される符号１は例えば惣菜販売場所等の販売作業員がその頭部に被る衛生キャップ本体であり、この衛生キャップ本体１は頭部を覆う帽子状に、例えばポリプロピレン製不織布を素材として形成されている。
【００１６】
そして、この衛生キャップ本体１は、その外表面のほぼ全域が黒色ないしは黒灰色を呈しており、帽子状に形成すべく例えば縫製される以前の原反状態のときに例えばグラビア印刷、オフセット印刷等の印刷手段によって、あるいは染色手段その他によって所定の黒色等を呈するように形成され、必要があればコーティング処理によって着色維持が図れるようにしている。尚、黒色等を呈するように形成されるとき、洗濯によっても色落ちしないようにされており、複数回の洗濯によっても黒色等であることが維持される耐久性を備えている。
【００１７】
衛生キャップ本体１における黒色等の色彩は、無彩色でその彩度、明度においてはいずれも低いものであり、有彩色であってもその彩度、明度が十分に低い場合には黒色・黒灰色に近くなるから、それらも含む。例えばマンセル表色系において彩度が６より低く、明度が６より低くなっている程度であれば、この考案においての黒灰色ないしは黒色に近いものと言い得る。
【００１８】
また、この衛生キャップ本体１の素材は静電気を帯びる、いわゆる電石作用を発揮するものとなっていることで、被せた頭部における頭髪類の外部への飛散、脱落等を一層防止できるようにすると良い。
【００１９】
そしてまた、衛生キャップ本体１の形状・構造は、頭部に被せたときの開口部が頭部周囲にフィットするように伸縮部材２、例えばその開口縁に開口部を窄めるゴム等の弾性部材を設けたり、あるいは縮径させるネット編み状に形成したりし、また場合によってはベルトによって開口径を調整できるようにしてあり、こうすることで例えば頭髪等の落下防止に有効なものとなる。もとより、図示を省略したが、開口部径が幾種類かに予め固定化されていても良い。
【００２０】
尚、後述するように例えば鍔体４を衛生キャップ本体１に縫合するとき、その縫合用の縫合糸も黒色系のものとされることで全体の調和が維持される。
【００２１】
図１にあっては、耳部までを覆う袋状のものとし、開口縁にゴム紐状の伸縮部材２を配すると共に、耳部にはネット部３を形成したのである。これによると、頭部に被る三角巾、コック帽等のインナー用として好適であり、またネット部２によって通気性を図ることができる。
【００２２】
図２にあっては、耳部までを覆う袋状のものとし、開口縁にゴム紐状の伸縮部材２を配すると共に、耳部にはネット部３を形成し、額部位に鍔体４を連設したのである。鍔体４を連設したことで、体裁性が良好となり、オシャレな印象を与える。
【００２３】
図３にあっては、耳部までを覆う袋状のものとし、開口縁にゴム紐状の伸縮部材２を配すると共に、額部位に鍔体４を連設したのである。これによると、キャスケット型となり、体裁性が良好となり、オシャレな印象を与える。
【００２４】
いずれの実施例にあっても、伸縮部材２、ネット部３、鍔体４等を設けた衛生キャップ本体１は、伸縮部材２、ネット部３、鍔体４等も含めた衛生キャップ全体が上記したように黒色ないし黒灰色を呈しており、また、伸縮部材２、ネット部３、鍔体４等の構成は図示例に限らず、その採否も任意である。
【００２５】
次にこれの使用の一例を説明すると、いずれも図示のように作業者の頭部にそのまま被れば良く、例えば更に被る他の三角巾、コック帽等のインナー用としたり、被った状態のそのままでアウター用としたりする。尚、衛生キャップ本体１が黒色ないしは黒灰色を呈していることで髪毛とほぼ同色となり、その自然な色彩によって調和されたものとなり、体裁を良好にする。また、作業時に着用される黒色系の作業衣とも対応し、統一したデザインのものとできる。
【符号の説明】
【００２６】
１…衛生キャップ本体                    ２…伸縮部材
３…ネット部                            ４…鍔体
【図１】
0003162955.tif 000003
【図２】
0003162955.tif 000004
【図３】
0003162955.tif 000005